(57)【特許請求の範囲】
【請求項１】
ゴルファのスイング挙動に基づいて、ゴルファを分類するためのゴルファ分類方法であって、
計測手段により、ゴルファがショートアイアンでゴルフボールを打撃するときの第１ヘッドスピードＨＳ１を計測する第１計測工程と、
前記計測手段により、ゴルファがロングアイアンでゴルフボールを打撃するときの第２ヘッドスピードＨＳ２及びブロー角θを計測する第２計測工程と、
計算手段により、前記第１ヘッドスピードＨＳ１と前記第２ヘッドスピードＨＳ２との比であるヘッドスピード比ＨＳ２／ＨＳ１を計算する計算工程と、
判定手段により、前記ロングアイアンのブロー角θと予め定められた第１閾値とに基づいて、前記ゴルファを、ダウンブローグループ及び非ダウンブローグループに分類する第１判定工程と、
前記判定手段により、前記ヘッドスピード比ＨＳ２／ＨＳ１と予め定められた第２閾値とに基づいて、前記ダウンブローグループのゴルファを、さらに、前記ヘッドスピード比ＨＳ２／ＨＳ１が大きい第１ダウンブローグループ及び前記ヘッドスピード比ＨＳ２／ＨＳ１が小さい第２ダウンブローグループに分類する第２判定工程と含むことを特徴とするゴルファ分類方法。
【請求項２】
前記第１閾値は、−０．５度である請求項１に記載のゴルファ分類方法。
【請求項３】
前記第２閾値を、前記ショートアイアンのクラブ長さＬ１と前記ロングアイアンのクラブ長さＬ２との比であるクラブ全長比Ｌ２／Ｌ１に基づいて定める工程をさらに含む請求項１又は２に記載のゴルファ分類方法。
【請求項４】
前記第２閾値を、前記クラブ全長比Ｌ２／Ｌ１の±３％の範囲で定める請求項３記載のゴルファ分類方法。
【請求項５】
前記計測手段により、ゴルファが非アイアン型クラブでゴルフボールを打撃するときの第３ヘッドスピードＨＳ３を計測する第３計測工程を含む請求項１乃至４のいずれかに記載のゴルファ分類方法。
【請求項６】
請求項１乃至４のいずれかに記載のゴルファ分類方法により分類されたゴルファに、ゴルフクラブの種類を選定するためのゴルフクラブ選定方法であって、
選定手段により、前記非ダウンブローグループのゴルファに、アイアンセットの低番手に相当するゴルフクラブとして、非アイアン型クラブを選定する工程と、前記第１ダウンブローグループのゴルファに、アイアンセットの低番手に相当するゴルフクラブとして、ロングアイアンを選定する工程とを含むゴルフクラブ選定方法。
【請求項７】
請求項５に記載のゴルファ分類方法により分類されたゴルファに、ゴルフクラブの種類を選定するためのゴルフクラブ選定方法であって、
選定手段により、前記非ダウンブローグループのゴルファに、アイアンセットの低番手に相当するゴルフクラブとして、非アイアン型クラブを選定する工程と、
前記第１ダウンブローグループのゴルファに、アイアンセットの低番手に相当するゴルフクラブとして、ロングアイアンを選定する工程と、
前記第２ダウンブローグループのゴルファに対して、第３ヘッドスピードＨＳ３が予め定めた第３閾値よりも大きいゴルファに、アイアンセットの低番手に相当するゴルフクラブとして、非アイアン型クラブを選定する一方、第３ヘッドスピードＨＳ３が予め定めた第３閾値以下のゴルファに、アイアンセットの低番手に相当するゴルフクラブとして、ロングアイアンを選定する工程とを含むゴルフクラブ選定方法。
【請求項８】
ゴルファのスイング挙動に基づいて、ゴルファを分類するためのゴルファ分類システムであって、
ゴルフクラブのヘッドの挙動を計測する計測手段と、
前記計測手段で計測されたデータを計算する計算手段と、
前記データ及び計算された結果に基づいてゴルファを分類する判定手段とを含み、
前記計測手段は、ゴルファの、ショートアイアンによりゴルフボールを打撃するときの第１ヘッドスピードＨＳ１と、ロングアイアンによりゴルフボールを打撃するときの第２ヘッドスピードＨＳ２及びブロー角θとを計測し、
前記計算手段は、前記第１ヘッドスピードＨＳ１と、前記第２ヘッドスピードＨＳ２との比であるヘッドスピード比ＨＳ２／ＨＳ１を計算し、
前記判定手段は、前記ロングアイアンのブロー角θと予め定められた第１閾値とに基づいて、前記ゴルファを、ダウンブローグループ及び非ダウンブローグループのいずれかに分類するとともに、
前記判定手段は、前記ヘッドスピード比ＨＳ２／ＨＳ１と予め定められた第２閾値とに基づいて、前記ダウンブローグループのゴルファを、さらに、前記ヘッドスピード比ＨＳ２／ＨＳ１が大きい第１ダウンブローグループ及び前記ヘッドスピード比ＨＳ２／ＨＳ１が小さい第２ダウンブローグループに分類することを特徴とするゴルファ分類システム。
【発明の詳細な説明】
【技術分野】
【０００１】
本発明は、ゴルファのスイング挙動に基づいて、ゴルファを分類し、分類されたゴルファに最適なゴルフクラブの種類を選定するためのゴルファ分類方法、ゴルフクラブ選定方法及びゴルファ分類システムに関する。
【背景技術】
【０００２】
近年、ゴルファのスイング挙動に基づいて、ゴルファを分類するためのゴルファ分類方法及びシステムが提案されている（下記特許文献１参照）。このゴルファ分類方法は、ゴルフボールを打撃するときのゴルフクラブヘッドの上下及び左右の進入角に基づいて、ゴルファを分類している。
【０００３】
また、下記特許文献１では、分類されたゴルファに最適なゴルフクラブを選定するためのゴルフクラブ選定方法も提案されている。このゴルフクラブ選定方法は、ゴルファのスイング挙動に基づいて分類されたゴルファのグループ毎に、最適なゴルフクラブのロフト角及びフェース面を選定している。
【先行技術文献】
【特許文献】
【０００４】
【特許文献１】特開２０１０−０４６５３９号公報
【発明の概要】
【発明が解決しようとする課題】
【０００５】
しかしながら、上記特許文献１のゴルファ分類方法、ゴルフクラブ選定方法及びゴルファ分類システムは、ゴルファに適したゴルフクラブのロフト角及びフェース面を選定できるのみであり、前提となるゴルフクラブの種類は検討されていなかった。
【０００６】
例えば、アイアンセットの低番手に相当するゴルフクラブとしては、ロングアイアンの他に、ユーティリティやフェアウェイウッドといった非アイアン型クラブが選定できるが、上述の方法では、これらのどのゴルフクラブを選定すべきかは確定できない。ロングアイアンは、コントロール性が高く、低い球を打つことができるものの、ゴルファによっては、ミスショットの確率が高くなり、所望の飛距離が達成できないおそれがある。このため、ゴルファにとって、ミスショットが少なく、所望の飛距離を達成するのに最適なゴルフクラブの種類を定量的に選定することは困難であった。
【０００７】
本発明の主な目的は、ゴルファのスイング挙動に基づいて、ゴルファを分類し、分類されたゴルファに最適なゴルフクラブの種類を選定し得るゴルファ分類方法、ゴルフクラブ選定方法及びゴルファ分類システムを提供することにある。
【課題を解決するための手段】
【０００８】
本発明は、ゴルファのスイング挙動に基づいて、ゴルファを分類するためのゴルファ分類方法であって、計測手段により、ゴルファがショートアイアンでゴルフボールを打撃するときの第１ヘッドスピードＨＳ１を計測する第１計測工程と、前記計測手段により、ゴルファがロングアイアンでゴルフボールを打撃するときの第２ヘッドスピードＨＳ２及びブロー角θを計測する第２計測工程と、計算手段により、前記第１ヘッドスピードＨＳ１と前記第２ヘッドスピードＨＳ２との比であるヘッドスピード比ＨＳ２／ＨＳ１を計算する計算工程と、判定手段により、前記ロングアイアンのブロー角θと予め定められた第１閾値とに基づいて、前記ゴルファを、ダウンブローグループ及び非ダウンブローグループに分類する第１判定工程と、前記判定手段により、前記ヘッドスピード比ＨＳ２／ＨＳ１と予め定められた第２閾値とに基づいて、前記ダウンブローグループのゴルファを、さらに、前記ヘッドスピード比ＨＳ２／ＨＳ１が大きい第１ダウンブローグループ及び前記ヘッドスピード比ＨＳ２／ＨＳ１が小さい第２ダウンブローグループに分類する第２判定工程と含むことを特徴とする。
【０００９】
本発明のゴルファ分類方法は、前記第１閾値は、−０．５度であるのが望ましい。
【００１０】
本発明のゴルファ分類方法は、前記第２閾値を、前記ショートアイアンのクラブ長さＬ１と前記ロングアイアンのクラブ長さＬ２との比であるクラブ全長比Ｌ２／Ｌ１に基づいて定める工程をさらに含むのが望ましい。
【００１１】
本発明のゴルファ分類方法は、前記第２閾値を、前記クラブ全長比Ｌ２／Ｌ１の±３％の範囲で定めるのが望ましい。
【００１２】
本発明のゴルファ分類方法は、前記計測手段により、ゴルファが非アイアン型クラブでゴルフボールを打撃するときの第３ヘッドスピードＨＳ３を計測する第３計測工程を含むのが望ましい。
【００１３】
本発明は、上述のゴルファ分類方法により分類されたゴルファに、ゴルフクラブの種類を選定するためのゴルフクラブ選定方法であって、選定手段により、前記非ダウンブローグループのゴルファに、アイアンセットの低番手に相当するゴルフクラブとして、非アイアン型クラブを選定する工程と、前記第１ダウンブローグループのゴルファに、アイアンセットの低番手に相当するゴルフクラブとして、ロングアイアンを選定する工程とを含むゴルフクラブ選定方法であってもよい。
【００１４】
本発明は、ゴルファ分類方法により分類されたゴルファに、ゴルフクラブの種類を選定するためのゴルフクラブ選定方法であって、選定手段により、前記非ダウンブローグループのゴルファに、アイアンセットの低番手に相当するゴルフクラブとして、非アイアン型クラブを選定する工程と、前記第１ダウンブローグループのゴルファに、アイアンセットの低番手に相当するゴルフクラブとして、ロングアイアンを選定する工程と、前記第２ダウンブローグループのゴルファに対して、第３ヘッドスピードＨＳ３が予め定めた第３閾値よりも大きいゴルファに、アイアンセットの低番手に相当するゴルフクラブとして、非アイアン型クラブを選定する一方、第３ヘッドスピードＨＳ３が予め定めた第３閾値以下のゴルファに、アイアンセットの低番手に相当するゴルフクラブとして、ロングアイアンを選定する工程とを含むゴルフクラブ選定方法であってもよい。
【００１５】
本発明の他の態様は、ゴルファのスイング挙動に基づいて、ゴルファを分類するためのゴルファ分類システムであって、ゴルフクラブのヘッドの挙動を計測する計測手段と、前記計測手段で計測されたデータを計算する計算手段と、前記データ及び計算された結果に基づいてゴルファを分類する判定手段とを含み、前記計測手段は、ゴルファの、ショートアイアンによりゴルフボールを打撃するときの第１ヘッドスピードＨＳ１と、ロングアイアンによりゴルフボールを打撃するときの第２ヘッドスピードＨＳ２及びブロー角θとを計測し、前記計算手段は、前記第１ヘッドスピードＨＳ１と、前記第２ヘッドスピードＨＳ２との比であるヘッドスピード比ＨＳ２／ＨＳ１を計算し、前記判定手段は、前記ロングアイアンのブロー角θと予め定められた第１閾値とに基づいて、前記ゴルファを、ダウンブローグループ及び非ダウンブローグループのいずれかに分類するとともに、前記判定手段は、前記ヘッドスピード比ＨＳ２／ＨＳ１と予め定められた第２閾値とに基づいて、前記ダウンブローグループのゴルファを、さらに、前記ヘッドスピード比ＨＳ２／ＨＳ１が大きい第１ダウンブローグループ及び前記ヘッドスピード比ＨＳ２／ＨＳ１が小さい第２ダウンブローグループに分類することを特徴とする。
【発明の効果】
【００１６】
本発明のゴルファ分類方法及びシステムは、ゴルファのブロー角に基づいて、ゴルファを、ダウンブローグループと非ダウンブローグループとに分類できる。また、ダウンブローグループのゴルファは、さらに、ヘッドスピード比ＨＳ２／ＨＳ１が大きい第１ダウンブローグループと、ヘッドスピード比ＨＳ２／ＨＳ１が小さい第２ダウンブローグループとに分類され得る。
【００１７】
発明者らの実験によれば、ロングアイアンで所望の飛距離を得るためには、ダウンブロー、及び、その長いクラブ長さを活かしたヘッドスピードの向上が必要とされている。従って、本発明のゴルファ分類方法及びシステムは、ゴルファを、比較的ミスショットが少なく、所望の飛距離を達成し易いゴルフクラブの種類を選定するのに適したグループに、容易に分類することができる。
【図面の簡単な説明】
【００１８】
【図１】本実施形態のゴルファ分類システムを示す概略図である。
【図２】本実施形態の計測状態を示す概念図である。
【図３】（Ａ）及び（Ｂ）はスイング軌道を示す図である。
【図４】本実施形態のゴルファ分類方法の示すフローチャートである。
【図５】判定工程の一例を示すフローチャートである。
【図６】ゴルファの分類結果を示す図である。
【図７】選定工程の一例を示すフローチャートである。
【発明を実施するための形態】
【００１９】
以下、本発明の実施の一形態が図面に基づき説明される。
図１は、本実施形態のゴルファ分類システム１を示す概略図である。図１に示されるように、本実施形態のゴルファ分類システム１は、計測手段２と解析手段３とを含んでいる。
【００２０】
図２は、本実施形態の計測状態を示す概念図である。図２に示されるように、計測手段２は、ゴルファＧがゴルフクラブＣをスイングするときのスイング挙動、特にゴルフボールＢを打撃するときのヘッドＨの挙動を計測している。計測手段２は、例えば、ゴルフクラブＣのヘッドスピードＨＳ及びブロー角θを計測することができる。
【００２１】
図３（Ａ）及び図３（Ｂ）には、ゴルフボールＢを打撃するときのヘッドＨのスイング軌道Ｓｏが示されている。ヘッドスピードＨＳは、ゴルファＧがゴルフボールＢを打撃する瞬間のヘッドＨの速度である。ブロー角θは、ゴルフボールＢを打撃する瞬間のヘッドＨのスイング軌道Ｓｏの接線と水平面ＨＰに対する角度である。
【００２２】
図３（Ａ）のスイング軌道Ｓｏは、その最下点ＬＰが、ゴルフボールＢの打撃位置よりも打球方向の前方にある打ち方であり、ダウンブローと呼ばれる。このときのブロー角θは、例えば、計測手段２により、負の値のデータＤとして計測される。
【００２３】
図３（Ｂ）のスイング軌道Ｓｏは、その最下点ＬＰが、ゴルフボールＢの打撃点よりも、打球方向の後方にある打ち方であり、アッパーブローと呼ばれる。このときのブロー角θは、例えば、計測手段２により、正の値のデータＤとして計測される。
【００２４】
本明細書では、上述のブロー角θが±０．５度以内の打ち方は、レベルブローとして定義される。
【００２５】
図２に示されるように、計測手段２は、例えば、ゴルフクラブＣに装着されるものが好ましい。このような計測手段２は、計測場所を特定せずに計測でき、持ち運びも容易である。なお、計測手段２は、例えば、ハイスピードカメラ等の撮像手段を含むものであってもよい。この場合、ゴルフクラブＣには、マーカーが付けられ、解析を容易に行なえるようにするのが望ましい。
【００２６】
解析手段３には、例えば、コンピュータが用いられる。コンピュータに代えて、タブレット又は多機能携帯電話機等のように、持ち運び自在な小型の機器が用いられても良い。計測手段２で得られたデータＤは、解析手段３に入力される。このデータＤの入力は、例えば、有線、無線又は各種の記憶メディアを介して行われる。
【００２７】
図１に示されるように、解析手段３は、計測手段２から入力されたデータＤと、予め定められた処理手順とに基づいて解析を実行する。本実施形態の解析手段３は、データＤが入力される処理手段４と、外部から情報を入力するための入力手段５と、解析結果を出力するための出力手段６とを含んでいる。
【００２８】
処理手段４は、データＤを予め定められた手順で計算する計算手段７と、データＤ及び計算された結果に基づき、予め定められた処理手順に従ってゴルファＧを分類する判定手段８と、分類されたゴルファＧにゴルフクラブＣの種類を選定する選定手段９とを含んでいる。
【００２９】
入力手段５は、例えば、キーボード、マウス又はタッチパネル等の任意の情報を入力可能な手段であるのが望ましい。また、出力手段６は、例えば、モニタ又はプリンタ等の視覚情報を表示可能な手段であるのが望ましい。
【００３０】
図４には、ゴルファ分類方法のフローチャートが示されている。図４に示されるように、本実施形態のゴルファ分類方法では、ゴルファＧのスイング挙動に基づいて、ゴルファＧを分類している。
【００３１】
本実施形態のゴルファ分類方法では、まず、計測手段２により、ゴルファＧが所定のゴルフクラブＣでゴルフボールＢを打撃するときのヘッドＨの挙動を計測する第１計測工程Ｓ１が行われる。本実施形態の第１計測工程Ｓ１では、ゴルファＧがショートアイアンＣ１でゴルフボールＢを打撃するときの第１ヘッドスピードＨＳ１を計測している。本実施形態のショートアイアンＣ１は、例えば、ロフト角が３７度よりも大きく、そのクラブ長さＬ１が３７インチよりも短いアイアンである。第１計測工程Ｓ１は、１回のスイングを計測するものであってもよいし、複数回のスイングを計測して、それらの平均値を計算するものであってもよい。
【００３２】
次に、計測手段２により、ゴルファＧが第１計測工程Ｓ１で計測されたゴルフクラブＣとは異なるゴルフクラブＣでゴルフボールＢを打撃するときのヘッドＨの挙動を計測する第２計測工程Ｓ２が行われる。本実施形態の第２計測工程Ｓ２では、ゴルファＧがロングアイアンＣ２でゴルフボールＢを打撃するときの第２ヘッドスピードＨＳ２及びブロー角θを計測している。本実施形態のロングアイアンＣ２は、例えば、ロフト角が２５度よりも小さく、そのクラブ長さＬ２が３８インチ以上のアイアンである。第２計測工程Ｓ２は、１回のスイングを計測するものであってもよいし、複数回のスイングを計測して、それらの平均値を計算するものであってもよい。
【００３３】
次に、計測手段２により、ゴルファＧが第１計測工程Ｓ１及び第２計測工程Ｓ２で計測されたゴルフクラブＣとは異なる種類のゴルフクラブＣでゴルフボールＢを打撃するときのヘッドＨの挙動を計測する第３計測工程Ｓ３が行われる。本実施形態の第３計測工程Ｓ３では、ゴルファＧが非アイアン型クラブＣ３でゴルフボールＢを打撃するときの第３ヘッドスピードＨＳ３を計測する第３計測工程Ｓ３が行われる。本実施形態の非アイアン型クラブＣ３は、例えば、そのクラブ長さＬ３がロングアイアンＣ２のクラブ長さＬ２に近いユーティリティである。非アイアン型クラブＣ３は、フェアウェイウッドであってもよい。
【００３４】
第３計測工程Ｓ３は、１回のスイングを計測するものであってもよいし、複数回のスイングを計測して、それらの平均値を計算するものであってもよい。第３計測工程Ｓ３は、例えば、判定手段８により、ゴルファＧが後述する第２ダウンブローグループに分類された場合にのみ行われてもよい。
【００３５】
なお、上述の第１計測工程Ｓ１、第２計測工程Ｓ２及び第３計測工程Ｓ３は、この順に計測されなくてもよく、計測順は特に限定されない。各計測工程Ｓ１−Ｓ３は、例えば、第２計測工程Ｓ２がはじめに行われてもよい。
【００３６】
次に、計算手段７により、第１ヘッドスピードＨＳ１と第２ヘッドスピードＨＳ２との比であるヘッドスピード比ＨＳ２／ＨＳ１を計算する計算工程Ｓ４が行われる。
【００３７】
次に、判定手段８により、ゴルファＧを分類する判定工程Ｓ５が行われる。図５は、判定工程Ｓ５の一例を示すフローチャートである。図５に示されるように、本実施形態の判定工程Ｓ５では、まず、ロングアイアンＣ２でゴルフボールＢを打撃したときのブロー角θと予め定められた第１閾値Ｔ１とに基づいて、ゴルファＧを分類する第１判定工程Ｓ５１が行われる。第１閾値Ｔ１は、予め入力手段５により判定手段８に入力されているのが望ましい。
【００３８】
本実施形態の第１判定工程Ｓ５１では、第１閾値Ｔ１を、例えば、−０．５度に定めることで、ゴルファＧを、ダウンブローグループ及び非ダウンブローグループに分類することができる。すなわち、第１判定工程Ｓ５１は、ダウンブローの打ち方をするゴルファＧを、ダウンブローグループに分類している。また、第１判定工程Ｓ５１では、レベルブロー及びアッパーブローの打ち方をするゴルファＧを、非ダウンブローグループに分類している。このような第１判定工程Ｓ５１では、各ゴルファＧを識別するためのゴルファ情報に、いずれのグループに属するのかを特定する情報を付加している。
【００３９】
第１判定工程Ｓ５１において、ゴルファＧが非ダウンブローグループに分類された場合、判定工程Ｓ５は、ここで終了する。
【００４０】
第１判定工程Ｓ５１において、ゴルファＧがダウンブローグループに分類された場合、判定工程Ｓ５では、判定手段８により、ヘッドスピード比ＨＳ２／ＨＳ１と予め定められた第２閾値Ｔ２とに基づいて、ダウンブローグループのゴルファＧを、さらに分類する第２判定工程Ｓ５２が行われる。第２閾値Ｔ２は、ショートアイアンＣ１のクラブ長さＬ１とロングアイアンＣ２のクラブ長さＬ２との比であるクラブ全長比Ｌ２／Ｌ１に基づいて定められているのが望ましい。このような第２閾値Ｔ２は、クラブ長さを活かしたヘッドスピードＨＳの向上を確認する指標になり得る。クラブ長さＬ１、Ｌ２は、予め入力手段５により判定手段８に入力されているのが望ましい。
【００４１】
第２閾値Ｔ２は、例えば、クラブ全長比Ｌ２／Ｌ１の±３％の範囲、すなわち、クラブ全長比Ｌ２／Ｌ１の９７％〜１０３％の範囲で定められるのが望ましい。第２閾値Ｔ２がクラブ全長比Ｌ２／Ｌ１の９７％より小さい場合、クラブ長さを活かしたヘッドスピードＨＳの向上を確認できないおそれがある。第２閾値Ｔ２がクラブ全長比Ｌ２／Ｌ１の１０３％より大きい場合、ゴルファＧに過剰なヘッドスピードＨＳの向上を求めることになり、適切な分類ができないおそれがある。第２閾値Ｔ２は、より好ましくは、クラブ全長比Ｌ２／Ｌ１の９８％〜１００％の範囲である。このような第２閾値Ｔ２は、ロングアイアンＣ２でミスショットが少なく、所望の飛距離を達成する確率が高いゴルファＧを、第１ダウンブローグループとして分類する指標になり得る。
【００４２】
本実施形態の第２判定工程Ｓ５２では、ダウンブローグループのゴルファＧを、ヘッドスピード比ＨＳ２／ＨＳ１が大きい第１ダウンブローグループ及びヘッドスピード比ＨＳ２／ＨＳ１が小さい第２ダウンブローグループに分類することができる。すなわち、第２判定工程Ｓ５２は、ヘッドスピード比ＨＳ２／ＨＳ１が第２閾値Ｔ２よりも大きいゴルファＧを、第１ダウンブローグループに分類している。また、第２判定工程Ｓ５２は、ヘッドスピード比ＨＳ２／ＨＳ１が第２閾値Ｔ２以下のゴルファＧを、第２ダウンブローグループに分類している。このような第２判定工程Ｓ５２では、各ゴルファＧを識別するためのゴルファ情報に、いずれのグループに属するのかを特定する情報を付加している。
【００４３】
第２判定工程Ｓ５２において、ゴルファＧが第１ダウンブローグループに分類された場合、判定工程Ｓ５は、ここで終了する。
【００４４】
第２判定工程Ｓ５２において、ゴルファＧが第２ダウンブローグループに分類された場合、判定工程Ｓ５では、判定手段８により、非アイアン型クラブＣ３の第３ヘッドスピードＨＳ３と第３閾値Ｔ３とに基づいて、第２ダウンブローグループのゴルファＧを、さらに分類する第３判定工程Ｓ５３が行われる。第３閾値Ｔ３は、例えば、ロングアイアンＣ２の第２ヘッドスピードＨＳ２に基づいて定められる。第３閾値Ｔ３は、好ましくは、第２ヘッドスピードＨＳ２である。このような第３閾値Ｔ３は、非アイアン型クラブＣ３で所望の飛距離を達成する確率が高いゴルファＧを分類する指標になり得る。
【００４５】
本実施形態の第３判定工程Ｓ５３では、第２ダウンブローグループのゴルファＧを、第３ヘッドスピードＨＳ３が第３閾値Ｔ３よりも大きい第２非アイアングループ及び第３ヘッドスピードＨＳ３が第３閾値Ｔ３以下の第２アイアングループに分類することができる。このような第３判定工程Ｓ５３では、各ゴルファＧを識別するためのゴルファ情報に、いずれのグループに属するのかを特定する情報を付加している。
【００４６】
本実施形態のゴルファ分類方法において、ゴルファＧが判定工程Ｓ５により分類された結果は、例えば、出力手段６に出力されてもよい。図６は、ゴルファＧの分類結果を示す図である。図６の横軸は、ヘッドスピード比ＨＳ２／ＨＳ１であり、縦軸はブロー角θである。出力手段６は、例えば、図６のグラフの１点をプロットすることで、ゴルファＧの属するグループを視覚的に表示することができる。なお、出力手段６は、第２ダウンブローグループに分類されたゴルファＧに対し、例えば、図６のプロットの色を変えることで、第２非アイアングループ及び第２アイアングループを視覚的に表示することができる。
【００４７】
図４には、上述のゴルフ分類方法により分類されたゴルファＧに、最適なゴルフクラブＣの種類を選定するための選定工程Ｓ６を含むゴルフクラブ選定方法が示されている。
【００４８】
図７は、選定工程Ｓ６の一例を示すフローチャートである。図７に示されるように、本実施形態の選定工程Ｓ６では、まず、選定対象となっているゴルファＧがダウンブローグループに分類されているか判断される工程Ｓ６１が行われる。
【００４９】
次に、工程Ｓ６１で、ダウンブローグループに分類されていないゴルファＧ、すなわち、非ダウンブローグループのゴルファＧに、アイアンセットの低番手に相当するゴルフクラブＣとして、非アイアン型クラブＣ３を選定する工程Ｓ６２が行われる。非ダウンブローグループのゴルファＧは、ロングアイアンＣ２ではミスショットをする確率が高いため、非アイアン型クラブＣ３が選定される。
【００５０】
一方、工程Ｓ６１で、ダウンブローグループに分類されているゴルファＧには、第１ダウンブローグループに分類されているか判断される工程Ｓ６３が行われる。
【００５１】
次に、工程Ｓ６３で、第１ダウンブローグループに分類されているゴルファＧに、アイアンセットの低番手に相当するゴルフクラブＣとして、ロングアイアンＣ２を選定する工程Ｓ６４が行われる。第１ダウンブローグループのゴルファＧは、ダウンブロー、及び、その長いクラブ全長を活かしたヘッドスピードＨＳの向上が認められるため、コントロール性が高いロングアイアンＣ２が選定される。
【００５２】
一方、工程Ｓ６３で、第１ダウンブローグループに分類されていないゴルファＧ、すなわち、第２ダウンブローグループのゴルファＧには、第２非アイアングループに分類されているか判断される工程Ｓ６５が行われる。
【００５３】
次に、工程Ｓ６５で、第２非アイアングループに分類されているゴルファＧに、アイアンセットの低番手に相当するゴルフクラブＣとして、非アイアン型クラブＣ３を選定する工程Ｓ６２が行われる。第２非アイアングループのゴルファＧは、ロングアイアンＣ２に比べて非アイアン型クラブＣ３の方がその長いクラブ全長を活かしたヘッドスピードＨＳの向上が認められるため、非アイアン型クラブＣ３が選定される。
【００５４】
一方、工程Ｓ６５で、第２非アイアングループに分類されていないゴルファＧ、すなわち、第２アイアングループのゴルファＧに、アイアンセットの低番手に相当するゴルフクラブＣとして、ロングアイアンＣ２を選定する工程Ｓ６４が行われる。第２アイアングループのゴルファＧは、ロングアイアンＣ２及び非アイアン型クラブＣ３の双方において、その長いクラブ全長を活かしたヘッドスピードＨＳの向上が認められないものの、ダウンブローであるため、コントロール性が高いロングアイアンＣ２が選定される。
【００５５】
ゴルフクラブ選定方法では、選定工程Ｓ６により選定されたゴルフクラブＣの種類を、例えば、出力手段６に出力して終了する。
【００５６】
以上本発明の実施形態が、詳細に説明されたが、本発明は上記の実施形態に限定されるものではなく、種々の態様に変更して実施され得る。
【実施例】
【００５７】
８人のゴルファＧ１〜Ｇ８が、本実施形態のゴルファ分類方法に基づいて、分類された。各ゴルファが、以下の共通仕様に記載されたゴルフクラブでスイングしたときの、スイング挙動が計測された。計測は、１本のゴルフクラブに対して１０回行われ、その平均値が求められた。
【００５８】
＜共通仕様＞
ショートアイアン：９番アイアン          クラブ長さ３６インチ  ロフト角３９度
ロングアイアン：５番アイアン            クラブ長さ３８インチ  ロフト角２４度
非アイアン型クラブ：６番ユーティリティ  クラブ長さ３９インチ  ロフト角２５度
第１閾値：−０．５度
第２閾値：クラブ全長比の９８．５％（３８／３６×０．９８５≒１．０４）
第３閾値：各ゴルファの５番アイアンのヘッドスピード
【００５９】
分類された結果が、表１及び図６に示される。図６には、表１のゴルファＧ１〜Ｇ８が、それぞれプロットされている。
【００６０】
【表１】
0006417280.tif 000002
【００６１】
分類の結果、各ゴルファを、非ダウンブローグループ、第１ダウンブローグループ及び第２ダウンブローグループに分類することができた。本実施例の第２ダウンブローグループのゴルファＧ３、Ｇ４は、共に６番ユーティリティのヘッドスピードが第３閾値よりも大きい第２非アイアングループであった。従って、アイアンセットの低番手に相当するゴルフクラブとして、非ダウンブローグループ及び第２ダウンブローグループに分類されたゴルファには、非アイアン型クラブを選定し、第１ダウンブローグループには、ロングアイアンを選定することができた。
【符号の説明】
【００６２】
１  ゴルファ分類システム
２  計測手段
７  計算手段
８  判定手段
９  選定手段
【図１】
0006417280.tif 000003
【図２】
0006417280.tif 000004
【図３】
0006417280.tif 000005
【図４】
0006417280.tif 000006
【図５】
0006417280.tif 000007
【図６】
0006417280.tif 000008
【図７】
0006417280.tif 000009